(57)【要約】【課題】黒表示から白表示に切り替わるときにおいて液晶の動作性のよい液晶表示装置、及びその駆動方法、並びに電子機器を提供する。【解決手段】液晶５を対向電極１５と画素電極１６で挟持して構成され、ＶＡ方式で駆動する液晶表示装置において、１つの画素１４の画素電極１６を第１の画素構成電極１６ａ〜第４の画素構成電極１６ｄで構成する。黒表示の時に第１の画素構成電極１６ａ〜第４の画素構成電極１６ｄの各電極に順次電圧が増加または減少するように電圧を印加する。そして、４つの電極の中で印加する電圧を順次切り換えて、液晶５を配向する。【選択図】図８
2007212914.tif 000002
【特許請求の範囲】
【請求項１】
第１基板と第２基板との間の対向面に電極が形成され、電圧無印加時に垂直配向を呈する液晶を前記第１基板と前記第２基板との間に挟持した液晶表示装置の駆動方法であって、
前記第１基板は、表示単位を構成する１つの画素に対応して、複数の画素構成電極から形成される画素電極を備え、
前記第２基板は、対向電極を備え、
前記画素電極と前記対向電極との間に電圧を印加するとき、
複数の前記画素構成電極のうち少なくとも一対の隣接する前記画素構成電極に異なる電圧を印加させ、
前記一対の前記画素構成電極間毎の電圧差に対応させて、前記画素構成電極間の近傍の液晶を傾斜させることを特徴とする液晶表示装置の駆動方法。
【請求項２】
請求項１に記載の液晶表示装置の駆動方法であって、
前記画素構成電極は、１つの前記画素に対応して、同心円状に配列して配置され、
前記画素構成電極と前記対向電極との間に電圧を印加するとき、
前記画素構成電極に対して印加する電圧は、配列の順に増加または減少させて印加させ、
前記画素構成電極の電圧を、それぞれ隣接する前記画素構成電極の電圧に順次切り換えて、電圧を印加させ、
前記画素構成電極間毎の電圧差に対応させて、前記画素構成電極間の近傍の液晶を傾斜させることを特徴とする液晶表示装置の駆動方法。
【請求項３】
請求項１に記載の液晶表示装置の駆動方法であって、
前記対向電極は、１つの前記画素に対応して、複数の対向構成電極を備え、
前記画素電極と前記対向電極との間に電圧を印加するとき、
複数の前記対向構成電極のうち少なくとも一対の隣接する前記対向構成電極に、異なる電圧を印加させ、
前記一対の前記対向構成電極間毎の電圧差に対応させて、前記対向構成電極間の近傍の液晶を傾斜させることを特徴とする液晶表示装置の駆動方法。
【請求項４】
請求項３に記載の液晶表示装置の駆動方法であって、
前記画素構成電極は、１つの前記画素に対応して、同心円状に配列して配置され、
前記対向構成電極は、１つの前記画素に対応して、同心円状に配列して配置され、
前記画素構成電極と前記対向構成電極との対をなす前記電極の間に電圧を印加するとき、
前記画素構成電極に対して印加する電圧は、配列の順に増加または減少させて印加させ、
前記対向構成電極に対して印加する電圧は、配列の順に増加または減少させて印加させ、
前記画素構成電極間の近傍の前記液晶と、前記対向構成電極間の近傍の前記液晶とを傾斜させることを特徴とする液晶表示装置の駆動方法。
【請求項５】
請求項４に記載の液晶表示装置の駆動方法であって、
前記画素構成電極と前記対向構成電極との対をなす前記電極の間に電圧を印加するとき、
前記画素構成電極に印加する電圧と、前記画素構成電極と対向する前記対向構成電極に隣接する前記対向構成電極に印加する電圧は、略同じ電圧を印加することを特徴とする液晶表示装置の駆動方法。
【請求項６】
請求項４に記載の液晶表示装置の駆動方法であって、
前記画素構成電極に印加する電圧は、それぞれ隣接する前記画素構成電極に印加されている電圧を順次切り換えて印加させ、
前記対向構成電極に印加する電圧は、それぞれ隣接する前記対向構成電極に印加されている電圧を順次切り換えて印加させることを特徴とする液晶表示装置の駆動方法。
【請求項７】
請求項１〜６のいずれか一項に記載の液晶表示装置の駆動方法であって、
前記一つの画素に対応する前記画素電極と前記対向電極との間に電圧を印加させ、
前記一つの画素内の液晶が傾斜した後、
前記一つの画素内の前記画素構成電極に印加する電圧は同じ電圧にすることを特徴とする液晶表示装置の駆動方法。
【請求項８】
請求項３〜６のいずれか一項に記載の液晶表示装置の駆動方法であって、
前記一つの画素に対応する前記画素電極と前記対向電極との間に電圧を印加させ、
前記一つの画素内の液晶が傾斜した後、
前記一つの画素内の前記対向構成電極に印加する電圧は同じ電圧にすることを特徴とする液晶表示装置の駆動方法。
【請求項９】
第１基板と第２基板との間の対向面に電極が形成され、電圧無印加時に垂直配向を呈する液晶を前記第１基板と前記第２基板との間に挟持した液晶表示装置の駆動方法であって、
前記第１基板は、表示単位を構成する１つの画素に対応して、複数の画素構成電極から形成される画素電極を備え、
前記第２基板は、対向電極を備え、
前記画素電極と前記対向電極との間に電圧を印加するとき、
複数の前記画素構成電極のうち少なくとも一対の隣接する前記画素構成電極に異なる電圧を印加させる制御を行なう制御回路とを備えたことを特徴とする液晶表示装置。
【請求項１０】
請求項９に記載の液晶表示装置であって、
前記画素構成電極は、１つの前記画素に対応して、同心円状に配列され、
前記画素構成電極と前記対向電極との間に電圧を印加するとき、
前記画素構成電極に印加する電圧は、配列された前記画素構成電極に対して増加または減少させて印加させ、
前記画素構成電極の電圧を、それぞれ隣接する前記画素構成電極の電圧に順次切り換えて、電圧を印加させる制御を行なう制御回路とを備えたことを特徴とする液晶表示装置。
【請求項１１】
請求項１０に記載の液晶表示装置であって、
前記画素構成電極は、１つの前記画素の領域の略中心を基準として分割する領域に形成されたことを特徴とする液晶表示装置。
【請求項１２】
請求項１１に記載の液晶表示装置であって、
前記画素構成電極は、略四等分に分割する領域に形成されたことを特徴とする液晶表示装置。
【請求項１３】
請求項９に記載の液晶表示装置であって、
前記対向電極は、１つの前記画素に対応して、複数の対向構成電極を備え、
前記画素電極と前記対向電極との間に電圧を印加するとき、
複数の前記対向構成電極のうち少なくとも一対の隣接する前記対向構成電極に、異なる電圧を印加させる制御を行なう制御回路を備えたことを特徴とする液晶表示装置。
【請求項１４】
請求項１３に記載の液晶表示装置であって、
複数の前記画素構成電極は、１つの前記画素に対応して、同心円状に配列して配置され、
複数の前記対向構成電極は、１つの前記画素に対応して、同心円状に配列して配置され、
前記画素電極と前記対向構成電極との対をなす前記電極の間に電圧を印加するとき、
前記画素構成電極に対して印加する電圧は、増加または減少させて印加させ、
前記対向構成電極に対して印加する電圧は、増加または減少させて印加させる制御を行なう制御回路を備えたことを特徴とする液晶表示装置。
【請求項１５】
請求項１４に記載の液晶表示装置であって、
前記画素構成電極に印加する電圧は、それぞれ隣接する前記画素構成電極に印加されている電圧を順次切り換えて印加させ、
前記対向構成電極に印加する電圧は、それぞれ隣接する前記対向構成電極に印加されている電圧を順次切り換えて印加させる制御を行なう制御回路を備えたことを特徴とする液晶表示装置。
【請求項１６】
請求項１３または１４に記載の液晶表示装置であって、
前記対向構成電極は、１つの前記画素の領域の略中心を基準として分割する領域に形成されたことを特徴とする液晶表示装置。
【請求項１７】
請求項１６に記載の液晶表示装置であって、
前記対向構成電極は、略四等分に分割する領域に形成されたことを特徴とする液晶表示装置。
【請求項１８】
請求項９〜１７のいずれか一項に記載の液晶表示装置を備えたことを特徴とする電子機器。
【発明の詳細な説明】
【技術分野】
【０００１】
本発明は、液晶表示装置、及びその駆動方法、並びに電子機器に関するものである。
【背景技術】
【０００２】
近年、例えばテレビジョン信号を映像として表示する表示装置として、液晶表示装置（ＬＣＤ）やプラズマディスプレイなどのフラットパネルディスプレイが普及している。このうち、ＬＣＤは、視野角が狭いことが短所であったが、ＶＡ（Ｖｅｒｔｉｃａｌｌｙ  Ａｌｉｇｎｅｄ）方式やＩＰＳ（Ｉｎ−Ｐｌａｎｅ  Ｓｗｉｔｃｈｉｎｇ）方式などが開発され、広視野角化が実現されている。
ＶＡ方式では、１画素の中に液晶の配向方向が異なる複数の領域（マルチドメインと称す）を形成することにより、広視野角化を達成している。マルチドメインを構成する為の液晶を配向する方法が特許文献１に開示されている。それによると、ＴＦＴ（Ｔｈｉｎ  Ｆｉｌｍ  Ｔｒａｎｓｉｓｔｏｒ）が配置されたＴＦＴアレイ基板と、そのＴＦＴアレイ基板に対向する対向基板との間に液晶が封入された液晶表示装置において、ＴＦＴアレイ基板または対向基板の表面に突状体を形成する方法と、電極にスリットを入れて等電位線を湾曲させる方法とが開示されている。現在は、液晶表示装置の表示を白黒反転したときの応答の確実性と応答速度の観点から、ＴＦＴアレイ基板と対向基板の両方に突状体を配置する方法と、ＴＦＴアレイ基板と対向基板とのどちらか一方の基板に突状体を配置して他方の基板には電極にスリットを入れる方法とが広く採用されている。
【０００３】
【特許文献１】特開平１１−２４２２２５号公報（１４〜１７頁、図９〜図１２）
【発明の開示】
【発明が解決しようとする課題】
【０００４】
しかしながら、ＶＡ方式のネガ型液晶表示装置において、基板に突状体を配置し、電極間に電圧を印加して黒表示から白表示に切り換える時、突状体の上部の領域では、表面が平行になる部分が存在するので、その領域における液晶分子（以下液晶と称す）は電圧無印加時に傾斜しない。突状体の斜面における液晶は、突状体の上部から離れる方向へ傾斜しており、電圧印加時にはさらに突状体の上部から離れる方向へ傾斜することから、突状体の上部の領域の液晶は、電圧印加時にも隣接する液晶に押されて傾斜することがない。従って、突状体の上部の領域は、突状体以外の平坦な領域に比べて液晶が遮光状態（黒表示状態）から透過光状態（白表示状態）に切り替わりにくくなる為、特に、黒表示から白表示に切り替わる中間の中間電圧印加時では、突状体の上部の領域では液晶が傾斜せず、黒表示のまま残る現象が発生していた。その結果、中間電圧印加時では、その印加電圧に応じて動作する液晶の動作性が低下していた。
【０００５】
本発明は前記課題に鑑みてなされたもので、その目的とするところは、黒表示から白表示に切り換えるときにおいて、液晶の動作性を向上させた液晶表示装置、及びその駆動方法、並びに電子機器を提供することにある。
【課題を解決するための手段】
【０００６】
上記課題を解決するために、本発明の液晶表示装置の駆動方法によれば、第１基板と第２基板との間の対向面に電極が形成され、電圧無印加時に垂直配向を呈する液晶を第１基板と第２基板との間に挟持した液晶表示装置の駆動方法であって、第１基板は、表示単位を構成する１つの画素に対応して、複数の画素構成電極から形成される画素電極を備え、第２基板は、対向電極を備え、画素電極と対向電極との間に電圧を印加するとき、複数の画素構成電極のうち少なくとも一対の隣接する画素構成電極に異なる電圧を印加させ、一対の画素構成電極間毎の電圧差に対応させて、画素構成電極間の近傍の液晶を傾斜させることを特徴とする。
【０００７】
この液晶表示装置の駆動方法によれば、液晶表示装置は第１基板と第２基板を備え、これらの基板間に液晶が挟持されている。第１基板は表示単位を構成する１つの画素に対応して、複数の画素構成電極から形成される画素電極を備え、第２基板は、対向電極を備えている。画素電極と対向電極との間に電圧を印加するとき、複数の画素構成電極のうち少なくとも一対の隣接する画素構成電極に異なる電圧を印加させる。これにより、一対の画素構成電極間の電圧差に対応して、画素構成電極間の近傍の液晶を傾斜させる。
【０００８】
画素内は突状体がなく全て平坦に形成され、画素内の全液晶が対向する電極の電圧に応じて傾斜する。従って、黒表示から白表示に切り替わる電圧を印加するときにおいて液晶の動作性を向上させる液晶表示装置の駆動方法とすることができる。
【０００９】
本発明の液晶表示装置の駆動方法によれば、画素構成電極は、１つの画素に対応して、同心円状に配列して配置され、画素構成電極と対向電極との間に電圧を印加するとき、画素構成電極に対して印加する電圧は、配列の順に増加または減少させて印加させ、画素構成電極の電圧を、それぞれ隣接する画素構成電極の電圧に順次切り換えて、電圧を印加させ、画素構成電極間毎の電圧差に対応させて、画素構成電極間の近傍の液晶を傾斜させることを特徴とする。
【００１０】
この液晶表示装置の駆動方法によれば、画素構成電極は、１つの画素に対応して、同心円状に配列して配置される。画素構成電極と対向電極との間に電圧を印加するとき、画素構成電極に対して印加する電圧は、配列の順に増加または減少させて印加させ、画素構成電極の電圧を、それぞれ隣接する画素構成電極の電圧に順次切り換えて、電圧を印加させる。
【００１１】
従って、それぞれの画素構成電極にはそれぞれ異なる電圧が印加される。また、同心円状に配列して配置される電極には順次電圧が増加または減少するように電圧を印加した場合、画素構成電極が同心円状に配置されることから、画素構成電極の内で最も低い電圧が印加される電極と最も高い電圧が印加される電極とが隣接する。この２つの電極間は、画素電極の複数の電極のうち最も大きな電位差をもつ電場が形成される。
【００１２】
電圧無印加時に垂直配向を呈する液晶は、電場内で等電位線と平行になる方向に傾斜する性質があり、また、電位差に比例して傾斜する性質がある。従って、複数の画素構成電極の電極間の中で電位差が大きい電極間の近傍の液晶は、他の電極間の液晶より大きく傾斜する。
【００１３】
画素構成電極の電圧を、それぞれ隣接する画素構成電極の電圧に順次切り換えて、電圧を印加させることから、画素構成電極の電極間の近傍における液晶が傾斜するように作用する力が順次切り換わる。電極が同心円状に配置されるので、液晶を傾斜させる力が大きくかかる電極間を同心円状に移動させることで液晶が傾斜する方向が制御される。
【００１４】
画素内は突状体がなく全て平坦に形成され、画素内の全液晶が対向する電極の電圧に応じて傾斜する。従って、黒表示から白表示に切り替わる電圧を印加するときにおいて液晶の動作性を向上させる液晶表示装置の駆動方法とすることができる。
【００１５】
本発明の液晶表示装置の駆動方法によれば、対向電極は、１つの画素に対応して、複数の対向構成電極を備え、画素電極と対向電極との間に電圧を印加するとき、複数の対向構成電極のうち少なくとも一対の隣接する対向構成電極に、異なる電圧を印加させ、一対の対向構成電極間毎の電圧差に対応させて、対向構成電極間の近傍の液晶を傾斜させることを特徴とする。
【００１６】
この液晶表示装置の駆動方法によれば、第２基板に形成された対向電極は、１つの画素に対応して、複数の対向構成電極を備えている。画素電極と対向電極との間に電圧を印加するとき、複数の対向構成電極のうち少なくとも一対の隣接する対向構成電極に、異なる電圧を印加させ、一対の対向構成電極間に電圧差を持つ電場を形成させる。これにより、対向構成電極間の近傍の液晶を傾斜させる。
【００１７】
画素内の第２基板の液晶側の面には突状体がなく全て平坦に形成され、画素内の全液晶が対向する電極の電圧に応じて傾斜する。従って、黒表示から白表示に切り替わる電圧を印加するときにおいて液晶の動作性を向上させる液晶表示装置の駆動方法とすることができる。
【００１８】
本発明の液晶表示装置の駆動方法によれば、画素構成電極は、１つの画素に対応して、同心円状に配列して配置され、対向構成電極は、１つの画素に対応して、同心円状に配列して配置され、画素構成電極と対向構成電極との対をなす電極の間に電圧を印加するとき、画素構成電極に対して印加する電圧は、配列の順に増加または減少させて印加させ、対向構成電極に対して印加する電圧は、配列の順に増加または減少させて印加させ、画素構成電極間の近傍の液晶と、対向構成電極間の近傍の液晶とを傾斜させることを特徴とする。
【００１９】
この液晶表示装置の駆動方法によれば、画素構成電極は、１つの画素に対応して、同心円状に配列して配置され、対向構成電極は、１つの画素に対応して、同心円状に配列して配置される。画素構成電極と対向構成電極との対をなす電極の間に電圧を印加するとき、画素構成電極に対して印加する電圧は、配列の順に増加または減少させて印加させ、対向構成電極に対して印加する電圧は、配列の順に増加または減少させて印加させる。
【００２０】
このとき、それぞれの画素構成電極間には電圧差を持つ電場が形成され、それぞれの画素構成電極間の近傍の液晶は傾斜する。同様に、それぞれの対向構成電極間には電圧差を持つ電場が形成され、それぞれの対向構成電極間の近傍の液晶は傾斜する。
【００２１】
画素構成電極間の近傍の液晶と対向構成電極間の近傍の液晶とが傾斜することから、画素構成電極間の近傍の液晶と対向構成電極間の近傍の液晶との内一方の液晶が傾斜する場合に比べて、画素電極と対向電極との間の電圧差を上げると、短い時間で画素内の液晶は全体が隣接する液晶に押されて傾斜する。従って、画素内の表示を短い時間で黒表示から白表示に切り換えることができる。
【００２２】
本発明の液晶表示装置の駆動方法によれば、画素構成電極と対向構成電極との対をなす電極の間に電圧を印加するとき、画素構成電極に印加する電圧と、画素構成電極と対向する対向構成電極に隣接する対向構成電極に印加する電圧は、略同じ電圧を印加することを特徴とする。
【００２３】
この液晶表示装置の駆動方法によれば、画素構成電極に印加する電圧と対向電構成電極に印加する電圧とを１つの電極分ずらすことで、画素構成電極と対向構成電極間の等電位線が１つの電極分ずれた分布になり、等電位線を斜めにすることができる。
【００２４】
画素構成電極と対向構成電極間の等電位線を斜めに分布させることで、画素構成電極の電極間の近傍に位置する液晶及び対向電極の電極間の近傍に位置する液晶は電位差の影響を受けて傾斜する。このとき、斜めの等電位線に沿う方向に、画素構成電極間の近傍の液晶と対向構成電極間の近傍の液晶が傾斜する。そして、電極間の近傍の液晶が傾斜した状態で画素電極と対向電極との間の電圧差を上げると、画素構成電極と対向構成電極との間の液晶の傾斜角度が大きくなり、画素電極近傍の液晶と対向電極近傍の液晶は同じ方向に傾斜する。液晶の視角依存性は液晶の傾斜方向の影響を受けるが、液晶の傾斜方向が同じ方向に傾斜することから、対向する画素構成電極の近傍の液晶と対向構成電極の近傍の液晶は同じ方向に対する視角依存性を有する配置とすることができる。
【００２５】
本発明の液晶表示装置の駆動方法によれば、画素構成電極に印加する電圧は、それぞれ隣接する画素構成電極に印加されている電圧を順次切り換えて印加させ、対向構成電極に印加する電圧は、それぞれ隣接する対向構成電極に印加されている電圧を順次切り換えて印加させることを特徴とする。
【００２６】
この液晶表示装置の駆動方法によれば、画素構成電極に印加する電圧は、それぞれ隣接する画素構成電極に印加されている電圧を順次切り換えて印加させるので、画素構成電極間の近傍の液晶の傾斜角度が切り換わる。このとき、画素電極と対向電極との間に電圧を印加すると、画素構成電極間の近傍の液晶の傾斜角度は順次切り換わりながら傾斜角度が大きくなり、画素構成電極上の液晶は画素構成電極間の近傍の液晶に押されて傾斜する。従って、画素における画素構成電極上の液晶は全体的に傾斜するようになる。
【００２７】
同様に、対向構成電極に印加する電圧は、それぞれ隣接する対向構成電極に印加されている電圧を順次切り換えて印加させるので、対向構成電極間の近傍の液晶の傾斜角度が切り換わる。このとき、画素電極と対向電極との間に電圧を印加すると、対向構成電極間の近傍の液晶の傾斜角度は順次切り換わりながら傾斜角度が大きくなり、対向構成電極上の液晶は対向構成電極間の近傍の液晶に押されて傾斜する。従って、画素における対向構成電極上の液晶は全体的に傾斜するようになる。
【００２８】
本発明の液晶表示装置の駆動方法によれば、一つの画素に対応する画素電極と対向電極との間に電圧を印加させ、一つの画素内の液晶が傾斜した後、一つの画素内の画素構成電極に印加する電圧は同じ電圧にすることを特徴とする。
【００２９】
本発明の液晶表示装置の駆動方法によれば、一つの画素に対応する画素電極と対向電極との間に電圧を印加させ、一つの画素内の液晶が傾斜した後、一つの画素内の対向構成電極に印加する電圧は同じ電圧にすることを特徴とする。
【００３０】
この液晶表示装置の駆動方法によれば、画素電極と対向電極との間に、所定の電圧以上の電圧をかけるとき、画素における液晶は傾斜していることから、画素構成電極間の各電極及び対向構成電極間の各電極に電位差をつけて液晶を配向しなくても良い。また、電圧を順次切り換えるときは、液晶が微小振動し、光透過量が変動するが、画素内の液晶が全て傾斜した後は、電圧の切り換えをしないことで、光透過量の変動を抑えることができる。
【００３１】
上記課題を解決するために、本発明の液晶表示装置によれば、第１基板と第２基板との間の対向面に電極が形成され、電圧無印加時に垂直配向を呈する液晶を第１基板と第２基板との間に挟持した液晶表示装置の駆動方法であって、第１基板は、表示単位を構成する１つの画素に対応して、複数の画素構成電極から形成される画素電極を備え、第２基板は、対向電極を備え、画素電極と対向電極との間に電圧を印加するとき、複数の画素構成電極のうち少なくとも一対の隣接する画素構成電極に異なる電圧を印加させる制御を行なう制御回路とを備えたことを特徴とする。
【００３２】
この液晶表示装置によれば、液晶表示装置は第１基板と第２基板を備え、これらの基板の間に液晶が挟持されている。第１基板は表示単位を構成する１つの画素に対応して、複数の画素構成電極から形成される画素電極を備え、第２基板は、対向電極を備えている。画素電極と対向電極との間に電圧を印加するとき、複数の画素構成電極のうち少なくとも一対の隣接する画素構成電極に異なる電圧を印加させる。これにより、一対の画素構成電極間の電圧差に対応して、画素構成電極間の近傍の液晶を傾斜させる。
【００３３】
画素内は突状体がなく全て平坦に形成され、画素内の全液晶が対向する電極の電圧に応じて傾斜する。従って、黒表示から白表示に切り替わる電圧を印加するときにおいて液晶の動作性を向上した液晶表示装置とすることができる。
【００３４】
本発明の液晶表示装置によれば、画素構成電極は、１つの画素に対応して、同心円状に配列され、画素構成電極と対向電極との間に電圧を印加するとき、画素構成電極に印加する電圧は、配列された画素構成電極に対して増加または減少させて印加させ、画素構成電極の電圧を、それぞれ隣接する画素構成電極の電圧に順次切り換えて、電圧を印加させる制御を行なう制御回路とを備えたことを特徴とする。
【００３５】
この液晶表示装置によれば、画素構成電極は、１つの画素に対応して、同心円状に配列して配置される。画素構成電極と対向電極との間に電圧を印加するとき、画素構成電極に対して印加する電圧は、配列の順に増加または減少させて印加させる。また、画素構成電極の電圧を、それぞれ隣接する画素構成電極の電圧に順次切り換えて、電圧を印加させる。
【００３６】
従って、それぞれの画素構成電極にはそれぞれ異なる電圧が印加される。また、同心円状に配列して配置される電極には順次電圧が増加または減少するように電圧を印加した場合、画素構成電極が同心円状に配置されることから、画素構成電極の内で最も低い電圧が印加される電極と最も高い電圧が印加される電極とが隣接する。この２つの電極間は、画素電極の複数の電極のうち最も大きな電位差をもつ電場が形成される。
【００３７】
電圧無印加時に垂直配向を呈する液晶は、電場内で等電位線と平行になる方向に傾斜する性質があり、また、電位差に比例して傾斜する性質がある。従って、複数の画素構成電極の電極間の中で電位差が大きい電極間の近傍の液晶は、他の電極間の液晶より大きく傾斜する。
【００３８】
画素構成電極の電圧を、それぞれ隣接する画素構成電極の電圧に順次切り換えて、電圧を印加させることから、画素構成電極の電極間の近傍における液晶が傾斜する角度が順次切り換わる。
電極間の近傍における液晶が傾斜した状態で画素電極と対向電極との間の電圧差を上げると、液晶の傾斜角度が大きくなる。これにより、画素構成電極上における液晶は、電極間の近傍における液晶に押されて傾斜して、画素の光透過量が増大し白表示となる。このとき、画素電極及び対向電極が液晶と接する面は平面であり、画素内の液晶は全体が隣接する液晶に押されて傾斜する。
【００３９】
画素内は突状体がなく全て平坦に形成され、画素内の全液晶が対向する電極の電圧に応じて傾斜する。従って、黒表示から白表示に切り替わる電圧を印加するときにおいて、液晶の動作性が向上した液晶表示装置とすることができる。
【００４０】
本発明の液晶表示装置によれば、画素構成電極は、１つの画素の領域の略中心を基準として分割する領域に形成されたことを特徴とする。
【００４１】
この液晶表示装置によれば、画素構成電極は、画素の領域の略中心を基準として分割する領域に形成されている。各画素構成電極の電圧はそれぞれ隣接する画素構成電極に順次切り換えて印加されて、各画素構成電極間の近傍の液晶が配向される。画素電極は、１つの画素の領域を基準として分割される為、画素構成電極間の近傍の液晶は、画素の略中心のまわりにそれぞれ異なる複数の方向に配向される。液晶の傾斜方向と視角依存性には相関があり、複数の電極間の液晶はそれぞれ異なる画素の略中心を基準として各方向に傾斜する。画素の中心以外を基準としたとき、見易い視角が特定の方向に偏り易くなる。従って、画素の中心以外を基準としたときに比べて、画素の中心を基準としたときは、見易い視角が特定の方向に偏りが少ない特性をもつ液晶表示装置とすることができる。
【００４２】
本発明の液晶表示装置によれば、画素構成電極は、略四等分に分割する領域に形成されたことを特徴とする。
【００４３】
この液晶表示装置によれば、画素構成電極は、画素の領域の中心を基準として略四等分に分割する領域に形成されている。各画素構成電極の電圧はそれぞれ隣接する画素構成電極に順次切り換えて印加されて、各画素構成電極間の近傍の液晶が配向される。画素電極は、略四等分に分割される為、画素構成電極間の近傍の液晶は、それぞれ異なる四つの方向に配向される。液晶の傾斜方向と視角依存性には相関があり、４箇所の電極間の液晶はそれぞれ異なる方向に傾斜する。従って、広視野角な特性をもつ液晶表示装置とすることができる。
【００４４】
本発明の液晶表示装置によれば、対向電極は、１つの画素に対応して、複数の対向構成電極を備え、画素電極と対向電極との間に電圧を印加するとき、複数の対向構成電極のうち少なくとも一対の隣接する対向構成電極に、異なる電圧を印加させる制御を行なう制御回路を備えたことを特徴とする。
【００４５】
この液晶表示装置によれば、第２基板に形成された対向電極は、１つの画素に対応して、複数の対向構成電極を備えている。画素電極と対向電極との間に電圧を印加するとき、複数の対向構成電極のうち少なくとも一対の隣接する対向構成電極に、異なる電圧を印加させ、一対の対向構成電極間に電圧差を持つ電場を形成させる。これにより、対向構成電極間の近傍の液晶を傾斜させる。
【００４６】
画素内の第２基板の液晶側の面には突状体がなく全て平坦に形成され、画素内の全液晶が対向する電極の電圧に応じて傾斜する。従って、黒表示から白表示に切り替わる電圧を印加するときにおいて液晶の動作性を向上させる液晶表示装置とすることができる。
【００４７】
本発明の液晶表示装置によれば、複数の画素構成電極は、１つの画素に対応して、同心円状に配列して配置され、複数の対向構成電極は、１つの画素に対応して、同心円状に配列して配置され、画素電極と対向構成電極との対をなす電極の間に電圧を印加するとき、画素構成電極に対して印加する電圧は、増加または減少させて印加させ、対向構成電極に対して印加する電圧は、増加または減少させて印加させる制御を行なう制御回路を備えたことを特徴とする。
【００４８】
この液晶表示装置によれば、画素構成電極は、１つの画素に対応して、同心円状に配列して配置され、対向構成電極は、１つの画素に対応して、同心円状に配列して配置される。画素構成電極と対向構成電極との対をなす電極の間に電圧を印加するとき、画素構成電極に対して印加する電圧は、配列の順に増加または減少させて印加させ、対向構成電極に対して印加する電圧は、配列の順に増加または減少させて印加させる。
【００４９】
このとき、それぞれの画素構成電極間には電圧差を持つ電場が形成され、それぞれの画素構成電極間の近傍の液晶は傾斜する。同様に、それぞれの対向構成電極間には電圧差を持つ電場が形成され、それぞれの対向構成電極間の近傍の液晶は傾斜する。
【００５０】
画素構成電極間の近傍の液晶と対向構成電極間の近傍の液晶とが傾斜することから、画素構成電極間の近傍の液晶と対向構成電極間の近傍の液晶との内一方の液晶が傾斜する場合に比べて、画素電極と対向電極との間の電圧差を上げると、短い時間で画素内の液晶は全体が隣接する液晶に押されて傾斜する。従って、画素内の表示を短い時間で黒表示から白表示に切り換えられる液晶表示装置とすることができる。
【００５１】
本発明の液晶表示装置によれば、画素構成電極に印加する電圧は、それぞれ隣接する画素構成電極に印加されている電圧を順次切り換えて印加させ、対向構成電極に印加する電圧は、それぞれ隣接する対向構成電極に印加されている電圧を順次切り換えて印加させる制御を行なう制御回路を備えたことを特徴とする。
【００５２】
この液晶表示装置によれば、画素構成電極に印加する電圧は、それぞれ隣接する画素構成電極に印加されている電圧を順次切り換えて印加させるので、画素構成電極間の近傍の液晶の傾斜角度が切り換わる。このとき、画素電極と対向電極との間に電圧を印加すると、画素構成電極間の近傍の液晶の傾斜角度は順次切り換わりながら傾斜角度が大きくなり、画素構成電極上の液晶はその液晶に押されて傾斜する。従って、画素における画素構成電極上の液晶は全体的に傾斜するようになる。
【００５３】
同様に、対向構成電極に印加する電圧は、それぞれ隣接する対向構成電極に印加されている電圧を順次切り換えて印加させるので、対向構成電極間の近傍の液晶の傾斜角度が切り換わる。このとき、画素電極と対向電極との間に電圧を印加すると、対向構成電極間の近傍の液晶の傾斜角度は順次切り換わりながら傾斜角度が大きくなり、対向構成電極上の液晶はその液晶に押されて傾斜する。従って、画素における対向構成電極上の液晶は全体的に傾斜するようになる。
【００５４】
画素内において、画素構成電極上の液晶と対向構成電極上の液晶とが全体的に傾斜するようになる。従って、画素内の液晶が全体的に傾斜する液晶表示装置とすることができる。
【００５５】
本発明の液晶表示装置によれば、対向構成電極は、１つの画素の領域の略中心を基準として分割する領域に形成されたことを特徴とする。
【００５６】
この液晶表示装置によれば、対向構成電極は、画素の領域の略中心を基準として分割する領域に形成されている。各対向構成電極の電圧はそれぞれ隣接する対向構成電極に順次切り換えて印加されて、各対向構成電極間の近傍の液晶が配向される。対向構成電極は、１つの画素の領域を基準として分割される為、対向構成電極間の近傍の液晶は、画素の略中心のまわりにそれぞれ異なる複数の方向に配向される。液晶の傾斜方向と視角依存性には相関があり、複数の電極間の液晶はそれぞれ異なる画素の略中心を基準として各方向に傾斜する。画素の中心以外を基準としたとき、見易い視角が特定の方向に偏り易くなる。従って、画素の中心以外を基準としたときに比べて、画素の中心を基準としたときは、見易い視角が特定の方向に偏りが少ない特性をもつ液晶表示装置とすることができる。
【００５７】
本発明の液晶表示装置によれば、対向構成電極は、略四等分に分割する領域に形成されたことを特徴とする。
【００５８】
この液晶表示装置によれば、対向構成電極は、画素の領域の中心を基準として略四等分に分割する領域に形成されている。各対向構成電極の電圧はそれぞれ隣接する対向構成電極に順次切り換えて印加されて、各対向構成電極間の近傍の液晶が配向される。対向電極は、略四等分に分割される為、対向構成電極間の近傍の液晶は、それぞれ異なる四つの方向に配向される。液晶の傾斜方向と視角依存性には相関があり、４箇所の電極間の液晶はそれぞれ異なる方向に傾斜する。従って、広視野角な特性をもつ液晶表示装置とすることができる。
【００５９】
上記課題を解決するために、本発明の電子機器は上記の液晶表示装置を備えたことを特徴とする。
この電子機器によれば、本発明の電子機器は黒表示から白表示にかわる時において、電極面に突状体を備えた液晶表示装置に比べて、液晶の動作性の良い液晶表示装置を備えている。従って、黒表示から白表示にかわる電圧印加時において、液晶の動作性が向上した液晶表示装置を備えた電子機器とすることができる。
【発明を実施するための最良の形態】
【００６０】
以下、本発明の実施形態を図面に基づいて説明する。
尚、各図における各層や各部材は、各図面上で認識可能な程度の大きさとするため、各層や各部材毎に縮尺を異ならせて図示している。
（第１の実施形態）
本発明の第１の実施形態に係る液晶表示装置について、図１〜図７に従って説明する。
図１は、液晶表示装置の模式平面図であり、図２は、図１の液晶表示装置のＨ−Ｈ’線に沿う模式断面図である。
【００６１】
図１及び図２に示すように、本実施形態の電気光学装置としての液晶表示装置１は、第１基板としてのＴＦＴアレイ基板２と第２基板としての対向基板３とが光硬化性の封止材であるシール材４によって貼り合わされている。シール材４によって枠形状に区画された領域内に液晶５が封入され、ＴＦＴアレイ基板２と対向基板３に液晶５が挟持されている。
【００６２】
シール材４の内側の領域には、遮光性材料で形成され、配線を隠すために枠形状の周辺見切り６が配置されている。シール材４の外側の領域には、データ線駆動回路７、制御回路８及び実装端子９がＴＦＴアレイ基板２の一辺２ａ（図中下側の辺）に沿って形成されている。この一辺２ａに隣接する２つの辺２ｂ及び辺２ｃ（図中左右の辺）に沿って走査線駆動回路１０が形成されている。ＴＦＴアレイ基板２の残る辺２ｄ（図中上側の辺）には、シール材４の両側に設けられた走査線駆動回路１０の間を接続するための配線１１が設けられている。また、対向基板３のコーナー部の４箇所には、ＴＦＴアレイ基板２と対向基板３との間で電気的導通をとるための基板間導通材１２が配設されている。
【００６３】
また、液晶表示装置１はカラー表示用として構成しており、対向基板３において、対向基板３の周辺見切り６の内側の領域に、赤（Ｒ）、緑（Ｇ）、青（Ｂ）のカラーフィルタ１３Ｒ，１３Ｇ，１３Ｂが保護膜とともに形成され、複数の画素１４がｍ行ｎ列のマトリクス状に構成されている。
【００６４】
図２に示すように、画像を表示する領域には、対向基板３のカラーフィルタ１３Ｒ，１３Ｇ，１３Ｂの液晶５側に対向電極１５が配置されている。ＴＦＴアレイ基板２には、カラーフィルタ１３Ｒ，１３Ｇ，１３Ｂと対向して画素電極１６が配置され、この画素電極１６は、画像信号をスイッチングするＴＦＴ（スイッチング素子）のドレイン電極と電気的に接続されている。ＴＦＴのソース電極には、画像信号を供給するデータ用配線（ソース配線と称す）が電気的に接続され、ＴＦＴのゲート電極には、走査信号を供給する走査用配線（ゲート配線と称す）が電気的に接続されている。
【００６５】
画素電極１６は、ＴＦＴのドレイン電極に電気的に接続されており、スイッチング素子であるＴＦＴを一定期間だけオン状態とすることにより、データ線から供給される画像信号が各画素１４の画素電極１６に所定のタイミングで供給される。このようにして画素電極１６を介して液晶に印加される画像信号の電圧レベルは、対向電極１５との間で保持される。
【００６６】
液晶は、画素電極１６及び対向電極１５に電圧を印加すると、両電極間に挟まれる液晶（液晶分子）の傾き角度が変化する性質を持っており、ＴＦＴのスイッチング動作により、液晶にかける電圧をコントロールして液晶の傾き角度を制御し、画素１４毎に光を透過させたり遮る動作を行う。それにより、光が液晶を透過した場合、透過した光は、画素１４毎に相対して設置される赤（Ｒ）、緑（Ｇ）、青（Ｂ）の３色の色フィルタを有するカラーフィルタを透過することで、画素１４毎に対応する各色フィルタの色を色光として透過する。また、光が液晶により遮られた場合、光が液晶により遮られた画素１４に対応する色フィルタには光は入射しないため、黒色となる。このようにＴＦＴのスイッチング動作により、液晶をシャッタとして動作させることにより、画素１４毎に光の透過をコントロールし、画素１４を明滅させることにより、カラー映像を表示させることができる。
【００６７】
図３は液晶表示装置の要部模式斜視図である。図３に示すように、略四角形の画素電極１６は画素１４の中心を通る線１４ａで略４等分に分割された略四角形の第１の画素構成電極１６ａ〜第４の画素構成電極１６ｄを備えている。画素電極１６の電極の配置は画素１４の中心を中心として右回りに第１の画素構成電極１６ａ、第２の画素構成電極１６ｂ、第３の画素構成電極１６ｃ、第４の画素構成電極１６ｄの順に同心円状に配置されている。第１の画素構成電極１６ａ〜第４の画素構成電極１６ｄの各電極のコーナー部には、ＴＦＴ１７が配置され、第１の画素構成電極１６ａ〜第４の画素構成電極１６ｄの各電極の外周辺部には、ゲート配線１８とソース配線１９が配置されて電気的に接続され、各電極毎に電圧が印加される構成になっている。
【００６８】
図４は液晶表示装置の要部模式断面図である。図４に示すように、ＴＦＴアレイ基板２はＴＦＴベース板２０を備えている。ＴＦＴベース板２０の液晶５と反対側の面には位相差フィルム２１が配置され、位相差フィルム２１の液晶５と反対側の面には偏光フィルム２２が配置されている。
【００６９】
ＴＦＴベース板２０の液晶５側の面には、ゲート電極２３と絶縁膜２４が配置され、図３に示すようにゲート電極２３はゲート配線１８と電気的に接続されている。ゲート電極２３と絶縁膜２４の液晶５側の面には絶縁膜２５が配置され、絶縁膜２５の液晶５側の面でゲート電極２３と対向する位置にはＴＦＴ１７が配置されている。絶縁膜２５上で、ＴＦＴ１７の両側には、ソース電極２７とドレイン電極２８が配置され、図３に示すようにソース電極２７は、ソース配線１９と電気的に接続されている。ＴＦＴ１７のスイッチング機能により、ゲート電極２３に電圧が印加されたとき、ソース電極２７からドレイン電極２８へ電流が流れるようになっている。
【００７０】
ＴＦＴ１７、ソース電極２７、ドレイン電極２８の周囲及び液晶５側の面には絶縁膜２９が配置され、絶縁膜２９の液晶５側の面は平坦に形成されている。絶縁膜２９の液晶５側の面には画素電極１６が配置され、画素電極１６はドレイン電極２８とコンタクトホール３０を介して電気的に接続されている。画素電極１６の液晶５側の面には図示しない垂直配向膜が形成され、紡錘形状の液晶５が画素電極１６に対して略垂直になるように配向され、いわゆるＶＡ方式で駆動されるように配向されている。
【００７１】
対向基板３は対向ベース板３１を備えている。対向ベース板３１の液晶５と反対側の面には、位相差フィルム３２が配置され、位相差フィルム３２の液晶５と反対側の面には偏光フィルム３３が配置されている。
【００７２】
対向ベース板３１の液晶５側の面には、カラーフィルタ１３Ｒ，１３Ｇ，１３Ｂとブラックマスク３４が配置され、カラーフィルタ１３Ｒ，１３Ｇ，１３Ｂからは液晶５を通過した光線が通過し、ブラックマスク３４は光線を遮断するようになっている。カラーフィルタ１３Ｒ，１３Ｇ，１３Ｂとブラックマスク３４の液晶５側の面には対向電極１５が配置され、対向電極１５の液晶５側の面には図示しない垂直配向膜が形成され、液晶５が対向電極１５に対して略垂直になるように配向されている。画素電極１６と対向電極１５との間に電圧を印加すると、電圧に対応して液晶５の傾きが変化し、偏光フィルム２２と液晶５と偏光フィルム３３とを通過する光透過量が変化するようになっている。
【００７３】
図５は液晶表示装置の電気ブロック図である。図５に示すように、液晶表示装置１は、入力される画像信号から、液晶５の動作を制御する制御信号を形成する制御回路８を備えている。制御回路８は、配線を介してデータ線駆動回路７及び走査線駆動回路１０に制御信号を伝達する。データ線駆動回路７は、画素電極１６に印加する電圧レベルを示す電圧信号を形成し、ＴＦＴ１７に伝達する。走査線駆動回路１０は、ＴＦＴ１７をスイッチングするスイッチング信号を形成し、ＴＦＴ１７に伝達する。ＴＦＴ１７は第１の画素構成電極１６ａ〜第４の画素構成電極１６ｄの電極毎に配置され、スイッチング信号により選択された画素電極１６に電圧信号を供給する。
【００７４】
次に画素電極１６に印加する電圧とその電圧が液晶５に与える作用について、図６〜図８に従って説明する。図６は画素電極へ印加する電圧の動作を示すタイミングチャートである。
図６において、第１の画素構成電極１６ａ〜第４の画素構成電極１６ｄに印加する電圧を、それぞれ第１の電圧信号３５ａ〜第４の電圧信号３５ｄとする。この第１の電圧信号３５ａ〜第４の電圧信号３５ｄは図５に示す制御回路８で形成され、図２に示すデータ線駆動回路７及び図３に示すＴＦＴ１７を介して第１の画素構成電極１６ａ〜第４の画素構成電極１６ｄに供給される。
【００７５】
タイミングｔ１において、各電極に印加する電圧は、高い方から低い順に並べたとき、第１の電圧信号３５ａ、第２の電圧信号３５ｂ、第３の電圧信号３５ｃ、第４の電圧信号３５ｄの順とする。このとき、第１の電圧信号３５ａと第４の電圧信号３５ｄとの間の電圧差が最も大きくなる。第１の電圧信号３５ａと第２の電圧信号３５ｂとの間の電圧差、第２の電圧信号３５ｂと第３の電圧信号３５ｃとの間の電圧差及び第３の電圧信号３５ｃと第４の電圧信号３５ｄとの間の電圧差は略同じ電圧差とする。
【００７６】
次に、タイミングｔ２において、各電極に印加される電圧は高い方から低い順に並べたとき、第４の電圧信号３５ｄ、第１の電圧信号３５ａ、第２の電圧信号３５ｂ、第３の電圧信号３５ｃの順とする。このとき、第４の電圧信号３５ｄと第３の電圧信号３５ｃとの間の電圧差を最も大きくする。次にタイミングｔ３において、第３の電圧信号３５ｃと第２の電圧信号３５ｂとの間の電圧差を最も大きくする。
【００７７】
最も電極間の電圧差が大きな電極の対を、タイミングｔ１では、第１の画素構成電極１６ａと第４の画素構成電極１６ｄとの電極とし、タイミングｔ２では、第４の画素構成電極１６ｄと第３の画素構成電極１６ｃとの電極とする。最も電極間の電圧差が大きな電極の対を、タイミングｔ３では、第３の画素構成電極１６ｃと第２の画素構成電極１６ｂとの電極とし、タイミングｔ４では、第２の画素構成電極１６ｂと第１の画素構成電極１６ａとの電極とする。つまり、電圧差が大きな電極の対をタイミングの切り換わりに合わせて、隣接する電極の対に順次移動する。
【００７８】
図７はタイミングｔ１における電極間の等電位線を示す模式図である。図７に示すように、タイミングｔ１の画素電極１６において、第１の画素構成電極１６ａと対向電極１５との電圧差が最も大きくなる。対向電極１５との電圧差は、高い方から低い順に並べたとき、第１の画素構成電極１６ａ、第２の画素構成電極１６ｂ、第３の画素構成電極１６ｃ、第４の画素構成電極１６ｄの順になる。
【００７９】
等電位線３６の密度については、第１の画素構成電極１６ａと第４の画素構成電極１６ｄとの間の等電位線３６の密度が最も高くなる。そして、第１の画素構成電極１６ａと第４の画素構成電極１６ｄとの間の等電位線３６が対向電極１５の方向へ進むとき、等電位線３６は第１の画素構成電極１６ａ側に傾斜する。第１の画素構成電極１６ａと第２の画素構成電極１６ｂとの間の等電位線の密度は、第２の画素構成電極１６ｂと第３の画素構成電極１６ｃの間の等電位線の密度、第３の画素構成電極１６ｃと第４の画素構成電極１６ｄとの間の等電位線の密度と略同じ密度となる。
【００８０】
第４の画素構成電極１６ｄ及び第１の画素構成電極１６ａの間の等電位線３６が対向電極１５の方向へ進むとき、等電位線３６は第１の画素構成電極１６ａ側に進み、第１の画素構成電極１６ａ及び第２の画素構成電極１６ｂの間の等電位線３６が対向電極１５の方向へ進むとき、等電位線３６は第１の画素構成電極１６ａ側に進む。続いて、第２の画素構成電極１６ｂ及び第３の画素構成電極１６ｃとの間の等電位線３６が対向電極１５の方向へ進むとき、等電位線３６は第２の画素構成電極１６ｂ側に進み、第３の画素構成電極１６ｃ及び第４の画素構成電極１６ｄの間の等電位線３６が対向電極１５の方向へ進むとき、等電位線３６は第３の画素構成電極１６ｃ側に進む。
【００８１】
液晶５は、等電位線３６と平行となる方向に傾斜するように動作し、電位差が大きい領域程、液晶には傾斜させる力が大きく作用する。従って、タイミングｔ１において、第１の画素構成電極１６ａと第４の画素構成電極１６ｄとの間の近傍の液晶５は、第１の画素構成電極１６ａ側に傾斜させる力が作用する。第１の画素構成電極１６ａ及び第２の画素構成電極１６ｂの間の近傍の液晶５は、第１の画素構成電極１６ａ側に、傾斜させる微小な力が作用する。同様に、第２の画素構成電極１６ｂ及び第３の画素構成電極１６ｃの間の近傍の液晶５は、第２の画素構成電極１６ｂ側に、傾斜させる微小な力が作用する。第３の画素構成電極１６ｃ及び第４の画素構成電極１６ｄの間の液晶５は、第３の画素構成電極１６ｃ側に、傾斜させる微小な力が作用する。
つまり、第１の画素構成電極１６ａ〜第４の画素構成電極１６ｄの隣接する電極間の近傍において、第１の画素構成電極１６ａと第４の画素構成電極１６ｄとの間の領域は電位差が大きい領域となり、液晶５を傾斜させる力が作用する。他の３箇所において、電位差が小さい領域となり、液晶５が、第１の画素構成電極１６ａと第４の画素構成電極１６ｄとの間の近傍の液晶５が傾斜した方向と逆方向に、傾斜させる微小な力が作用する。
【００８２】
第１の画素構成電極１６ａ及び第４の画素構成電極１６ｄの間の近傍の液晶５の動作は、次の様になる。タイミングｔ１において、液晶５は第１の画素構成電極１６ａ側へ傾斜する。タイミングｔ２〜タイミングｔ４において、液晶５は、第４の画素構成電極１６ｄ側に微小な角度だけ傾斜が戻る。次のタイミングｔ５において、等電位線の状態はタイミングｔ１と同じ等電位線の状態になり、液晶５は第１の画素構成電極１６ａ側へ傾斜する。従って、液晶５は、第１の画素構成電極１６ａへ傾斜して戻る動作を反復する。
第１の画素構成電極１６ａ及び第２の画素構成電極１６ｂの間の近傍と、第２の画素構成電極１６ｂ及び第３の画素構成電極１６ｃの間の近傍と、第３の画素構成電極１６ｃ及び第４の画素構成電極１６ｄの間の近傍とにおける液晶５の動作は、前述の第１の画素構成電極１６ａ及び第４の画素構成電極１６ｄの間の近傍の液晶５の動作と同じ動作をする。
【００８３】
図８は電極における液晶の動作を説明する図である。図８に示すように、第１の画素構成電極１６ａと第２の画素構成電極１６ｂとの間の近傍の液晶５は、第２の画素構成電極１６ｂ側へ傾斜して戻る動作を反復し、第２の画素構成電極１６ｂと第３の画素構成電極１６ｃとの間の液晶５は、第３の画素構成電極１６ｃ側へ傾斜して戻る動作を反復する。同様に、第３の画素構成電極１６ｃと第４の画素構成電極１６ｄとの間の近傍の液晶５は、第４の画素構成電極１６ｄ側へ傾斜して戻る動作を反復する。第４の画素構成電極１６ｄと第１の画素構成電極１６ａとの間の近傍の液晶５は、第１の画素構成電極１６ａ側へ傾斜して戻る動作をそれぞれタイミングをずらしながら順次反復する。
【００８４】
黒表示から白表示に変える為に、画素電極１６に印加する電圧を高くするとき、第１の画素構成電極１６ａ〜第４の画素構成電極１６ｄに印加する電圧の振幅は変えずに画素電極１６と対向電極１５間の電圧差を大きくする。すると、液晶５が傾斜して戻る動作において、液晶５は画素電極１６の電極面に対して垂直方向まで戻らず傾斜した状態となる。画素電極１６に印加する電圧が所定の電圧以上になり、液晶５が電極面に垂直の方向まで戻らないとき、画素電極１６に印加する電圧の振幅を無くす。画素電極１６に印加する電圧を上げることで液晶５は隣接する液晶５を押圧し、画素電極１６上の液晶５は全体が傾斜する。第１の画素構成電極１６ａ上の液晶５は、第４の画素構成電極１６ｄと反対側に傾斜し、第２の画素構成電極１６ｂは、第１の画素構成電極１６ａと反対側に傾斜する。同様に、第３の画素構成電極１６ｃ上の液晶５は、第２の画素構成電極１６ｂと反対側に傾斜し、第４の画素構成電極１６ｄは、第３の画素構成電極１６ｃと反対側に傾斜する。つまり、液晶５は、４方向に傾斜する。
【００８５】
画素電極１６に印加する平均電圧を所定の電圧より下げるとき、制御回路８は画素電極１６に印加する電圧の振幅を大きくし、液晶５を所定の方向へ傾斜して戻る動作を反復させる。その後、制御回路８が画素電極１６に印加する電圧を上げると、液晶５は所定の方向に傾斜する。
【００８６】
上述したように、本実施形態によれば、以下の効果を有する。
（１）本実施形態によれば、第１の画素構成電極１６ａ〜第４の画素構成電極１６ｄの各電極に異なる電圧を印加し、それぞれの画素構成電極の間の近傍の液晶を傾斜させた。画素電極１６は平坦な面上に形成されており、電圧印加時に隣接する液晶５に押されて傾斜する。従って、黒表示から白表示に切り替わるときにおいて、突状体を用いて配向する方法に比べて、１つの画素内の液晶の動作性を向上させることができる。その結果、液晶の動作性が向上した液晶表示装置の駆動方法と、その方法を用いた液晶表示装置１を実現することができる。
【００８７】
（２）本実施形態によれば、第１の画素構成電極１６ａ〜第４の画素構成電極１６ｄの各電極に異なる電圧を印加し、隣接する電極に印加する電圧を順次移動した。画素構成電極に印加する電圧を、それぞれ隣接する画素構成電極の電圧に順次切り換えて、電圧を印加させることから、画素構成電極の電極間の近傍における液晶が傾斜するように作用する力が順次切り換わる。電極が同心円状に配置されるので、液晶を傾斜させる力が大きくかかる電極間を同心円状に移動させることで液晶が傾斜する方向を制御することができる。また、この方法を用いて液晶を駆動する液晶表示装置１を実現することができる。
【００８８】
（３）本実施形態によれば、第１の画素構成電極１６ａ〜第４の画素構成電極１６ｄの各電極間の近傍で傾斜する液晶５は、４箇所の電極間でそれぞれ異なる方向に傾斜する。液晶５の傾斜方向と視角依存性には相関があり、４箇所の電極間の液晶５は４方向に傾斜する。従って、広視野角な液晶表示装置の駆動方法と、その方法を用いた液晶表示装置１を実現することができる。
【００８９】
（４）本実施形態によれば、画素電極１６に印加する電圧が所定の電圧以上のとき、第１の画素構成電極１６ａ〜第４の画素構成電極１６ｄの各電極に印加する電圧は同じ電圧にした。第１の画素構成電極１６ａ〜第４の画素構成電極１６ｄに印加する電圧を異なる電圧にし、タイミングをあわせて切り換えるときは、液晶５が微小振動する。一方、画素電極１６に印加する電圧が所定の電圧以上のとき、第１の画素構成電極１６ａ〜第４の画素構成電極１６ｄの各電極に印加する電圧を同じ電圧にすることで、液晶５は微小振動しない。従って、液晶５が微小振動することで、光透過量が変動することのない液晶表示装置の駆動方法と、その方法を用いた液晶表示装置１を実現することができる。
【００９０】
（第２の実施形態）
次に、本発明の第２の実施形態に係る液晶表示装置について、図９〜図１３に従って説明する。
【００９１】
この実施形態が第１の実施形態と異なるところは、図２に示した対向電極１５が画素電極１６に対応して複数配置される点にある。
【００９２】
図９は液晶表示装置４０の模式断面図である。図９に示すように、本実施形態の液晶表示装置４０は、対向基板４１を備えている。ＴＦＴアレイ基板２と同様に、対向基板４１は、画像信号を入力する実装端子４２と、実装端子４２と配線を介して接続される制御回路４３とを備えている。さらに、対向基板４１は、制御回路４３により形成された制御信号から、画像信号を形成するデータ線駆動回路４４及び走査信号を形成する図示しない走査線駆動回路を備えている。対向基板４１は画素電極１６と対向する領域に対向電極４５を備え、走査信号のタイミングで画像信号が対向電極４５に供給される。
【００９３】
図１０は液晶表示装置４０の要部模式斜視図である。図１０に示すように、ＴＦＴアレイ基板２の第１の画素構成電極１６ａ〜第４の画素構成電極１６ｄに対向する対向基板４１の領域に、第１の対向構成電極４５ａ〜第４の対向構成電極４５ｄが配置されている。第１の対向構成電極４５ａ〜第４の対向構成電極４５ｄは、画素電極１６と同様に、画素１４の中心を通る線１４ａで略４等分に分割された略四角形の電極形状となっている。
第１の対向構成電極４５ａ〜第４の対向構成電極４５ｄの各電極のコーナー部にはＴＦＴ４６が配置され、第１の対向構成電極４５ａ〜第４の対向構成電極４５ｄの各電極の外周辺部にはゲート配線４７とソース配線４８とが配置されている。ＴＦＴ４６のゲート電極にはゲート配線４７が電気的に接続され、ＴＦＴ４６のソース電極にはソース配線４８が電気的に接続され、各電極毎に電圧が印加される構成となっている。
【００９４】
図１１は液晶表示装置４０の要部模式断面図である。図１１において、ＴＦＴアレイ基板２は上記第１の実施形態と同じであり、説明を省略する。対向基板４１は対向ベース板４９を備えている。対向ベース板４９の液晶５と反対側の面には位相差フィルム５０が配置され、位相差フィルム５０の液晶５と反対側の面には偏光フィルム５１が配置されている。
【００９５】
対向ベース板４９の液晶５側の面には、カラーフィルタ５２Ｒ，５２Ｇ，５２Ｂとブラックマスク５３が配置され、カラーフィルタ５２Ｒ，５２Ｇ，５２Ｂからは液晶５を通過した光線が通過し、ブラックマスク５３は光線を遮断するようになっている。ブラックマスク５３の液晶５側の面にはゲート電極５４が配置され、ゲート電極５４の周囲には、絶縁膜５５が配置される。図１０に示すようにゲート電極５４はゲート配線４７と電気的に接続されている。ゲート電極５４と絶縁膜５５の液晶５側の面には絶縁膜５６が配置され、絶縁膜５６の液晶５側の面でゲート電極５４と対向する位置にはスイッチング素子としてのＴＦＴ５７が配置されている。絶縁膜５６上で、ＴＦＴ５７の両側には、ソース電極５８とドレイン電極５９が配置され、図１０に示すようにソース電極５８は、ソース配線４８と電気的に接続されている。ＴＦＴ５７のスイッチング機能により、ゲート電極５４に電圧が印加されたとき、ソース電極５８からドレイン電極５９へ電流が流れるようになっている。
【００９６】
ＴＦＴ５７、ソース電極５８、ドレイン電極５９の周囲及び液晶５側の面には絶縁膜６０が配置され、絶縁膜６０の液晶５側の面は平坦に形成されている。絶縁膜６０の液晶５側の面には対向電極４５が配置され、対向電極４５はドレイン電極５９とコンタクトホール６２を介して電気的に接続されている。対向電極４５の液晶５側の面には図示しない垂直配向膜が形成され、紡錘形状の液晶５が対向電極４５に対して略垂直になるように配向され、いわゆるＶＡ方式で駆動されるように配向されている。
【００９７】
図１２は液晶表示装置の電気ブロック図である。図１２に示すように、ＴＦＴアレイ基板２の回路構成は上記第１の実施形態と同じ構成であり、説明を省略する。対向基板４１の回路構成は、ＴＦＴアレイ基板２の回路構成と同様な回路構成となっている。異なる所の１つは、画像信号をＴＦＴアレイ基板２の制御回路８に入力すると共に、対向基板４１の制御回路４３に入力する為に、ＴＦＴアレイ基板２の制御回路８と、対向基板４１の制御回路４３とが配線を介して接続されているところである。異なる所の１つは、ＴＦＴアレイ基板２の第１の画素構成電極１６ａ〜第４の画素構成電極１６ｄが、対向基板４１では、第１の対向構成電極４５ａ〜第４の対向構成電極４５ｄに替わった所である。
【００９８】
対向基板４１の回路の作用は、ＴＦＴアレイ基板２の回路の作用と略同等である。制御回路４３は画像信号を基に制御信号を形成し、データ線駆動回路４４及び走査線駆動回路６３に供給する。データ線駆動回路４４は、対向電極４５に印加する電圧レベルを示す電圧信号を形成し、ＴＦＴ２６に伝達する。走査線駆動回路６３は、対向電極４５をスイッチングするスイッチング信号を形成し、ＴＦＴ２６に伝達する。ＴＦＴ２６は第１の対向構成電極４５ａ〜第４の対向構成電極４５ｄの各対向電極４５毎に配置され、スイッチング信号により選択された対向電極４５に電圧信号を供給する。
【００９９】
次に画素電極１６及び対向電極４５に印加する電圧とその電圧が液晶５に与える作用について、図１３〜図１５に従って説明する。図１３は画素電極と対向電極へ印加する電圧の動作を示すタイミングチャートである。
図１３において、第１の画素構成電極１６ａ〜第４の画素構成電極１６ｄに印加する電圧を、それぞれ第１の電圧信号３５ａ〜第４の電圧信号３５ｄとする。同様に、第１の対向構成電極４５ａ〜第４の対向構成電極４５ｄに印加する電圧を、それぞれ第５の電圧信号６４ａ〜第８の電圧信号６４ｄとする。
【０１００】
この第１の電圧信号３５ａ〜第４の電圧信号３５ｄは図１２に示す制御回路８で形成され、データ線駆動回路７及びＴＦＴ１７を介して第１の画素構成電極１６ａ〜第４の画素構成電極１６ｄに供給される。同様に、第５の電圧信号６４ａ〜第８の電圧信号６４ｄは制御回路４３で形成され、データ線駆動回路４４及びＴＦＴ２６を介して第１の対向構成電極４５ａ〜第４の対向構成電極４５ｄに供給される。
【０１０１】
尚、第１の電圧信号３５ａ〜第４の電圧信号３５ｄの信号の推移は上記の第１の実施形態と同じであり説明を省略する。
タイミングｔ１において、対向電極４５の各電極に印加する電圧は、高い方から低い順に並べたとき、第６の電圧信号６４ｂ、第７の電圧信号６４ｃ、第８の電圧信号６４ｄ、第５の電圧信号６４ａの順とする。このとき、対向する画素電極１６及び対向電極４５の対の中において、第１の電圧信号３５ａと第５の電圧信号６４ａとの間の電圧差が最も大きくなる。第２の電圧信号３５ｂと第６の電圧信号６４ｂとの間の電圧差、第３の電圧信号３５ｃと第７の電圧信号６４ｃとの間の電圧差及び第４の電圧信号３５ｄと第８の電圧信号６４ｄとの間の電圧差は略同じ電圧差とする。
つまり、第１の画素構成電極１６ａと第１の対向構成電極４５ａとの間の電圧が他の対向する電極間の電圧より高い電圧が印加され、他の対向する電極の対の電極間の電圧差は略同じ電圧にする。
【０１０２】
次に、タイミングｔ２において、第４の電圧信号３５ｄと第８の電圧信号６４ｄとの間の電圧差を他より高くする。これにより、第４の画素構成電極１６ｄと第４の対向構成電極４５ｄとの間の電圧が他の対向する電極間の電圧より高くなる。次にタイミングｔ３において、第３の電圧信号３５ｃと第７の電圧信号６４ｃとの間の電圧差を他より高くする。これにより、第３の画素構成電極１６ｃと第３の対向構成電極４５ｃとの間の電圧が他の対向する電極間の電圧より高くなる。次にタイミングｔ４において、第２の電圧信号３５ｂと第６の電圧信号６４ｂとの間の電圧差を他より高くする。これにより、第２の画素構成電極１６ｂと第２の対向構成電極４５ｂとの間の電圧が他の対向する電極間の電圧より高くなる。タイミングｔ５において、電圧信号はタイミングｔ１と同じにし、タイミングｔ１〜タイミングｔ４の電圧信号を順次繰り返す。
【０１０３】
つまり、４つの対向する画素電極１６と対向電極４５との対の中で、他より電圧差の高い電極の対を１つ形成する。そして、タイミングの切り換わりに合わせて、他より電圧差の高い電極の対を隣接する電極の対に順次移動する。
【０１０４】
図１４はタイミングｔ１における電極間の等電位線を示す模式図である。図１４に示すように、タイミングｔ１の画素電極１６と対向電極４５との電極の対において、第１の画素構成電極１６ａと第１の対向構成電極４５ａとの間の電圧差が最も大きく、第１の対向構成電極４５ａの電圧と第２の画素構成電極１６ｂとの電圧が略同じ電圧となる。また、第４の対向構成電極４５ｄと第１の画素構成電極１６ａの電圧との電圧が略同じ電圧となる。従って、第１の画素構成電極１６ａと第２の画素構成電極１６ｂとの間の領域の等電位線３６は、第４の対向構成電極４５ｄと第１の対向構成電極４５ａとの間の領域に接続する。
【０１０５】
液晶５は、等電位線３６と平行になる方向に傾斜する性質がある。従って、第１の画素構成電極１６ａと第２の画素構成電極１６ｂの間の近傍の液晶５は、第１の対向構成電極４５ａ側に傾斜する。同様に、第４の対向構成電極４５ｄと第１の対向構成電極４５ａとの間の近傍の液晶５は、第１の画素構成電極１６ａ側に傾斜する。
【０１０６】
第２の画素構成電極１６ｂと第１の対向構成電極４５ａとが略同じ電圧であり、第３の画素構成電極１６ｃと第２の対向構成電極４５ｂとが略同じ電圧である為、第２の画素構成電極１６ｂと第３の画素構成電極１６ｃとの間の領域の等電位線３６は、第１の対向構成電極４５ａと第２の対向構成電極４５ｂとの間の領域に接続する。従って、第２の画素構成電極１６ｂと第３の画素構成電極１６ｃとの間の近傍の液晶５は、第２の対向構成電極４５ｂ側に傾斜する。同様に、第１の対向構成電極４５ａと第２の対向構成電極４５ｂとの間の近傍の液晶５は、第２の画素構成電極１６ｂ側に傾斜する。
【０１０７】
同様に、第３の画素構成電極１６ｃと第４の画素構成電極１６ｄとの間の領域の等電位線３６は、第２の対向構成電極４５ｂと第３の対向構成電極４５ｃとの間の領域に接続する。そして、第３の画素構成電極１６ｃと第４の画素構成電極１６ｄとの間の近傍の液晶５は第３の対向構成電極４５ｃ側に傾斜する。さらに、第２の対向構成電極４５ｂと第３の対向構成電極４５ｃとの間の近傍の液晶５は第３の画素構成電極１６ｃ側に傾斜する。
第４の画素構成電極１６ｄと第１の画素構成電極１６ａとの間の領域の等電位線３６は、第３の対向構成電極４５ｃと第４の対向構成電極４５ｄとの間の領域に接続する。そして、第４の画素構成電極１６ｄと第１の画素構成電極１６ａとの間の近傍の液晶５は第４の対向構成電極４５ｄ側に傾斜する。さらに、第３の対向構成電極４５ｃと第４の対向構成電極４５ｄとの間の近傍の液晶５は、第４の画素構成電極１６ｄ側に傾斜する。
【０１０８】
タイミングｔ１からタイミングｔ２に移行すると、それぞれの電極に印加される電圧は隣接する電極の電圧に切り換わり、等電位線３６も切り換わる。このとき、隣接する画素電極１６間の領域の等電位線３６は、タイミングｔ１において接続した対向電極４５間の領域と同じ領域に接続する。そして、隣接する画素電極１６間の近傍の液晶５及び、隣接する対向電極４５間の近傍の液晶５の傾斜方向はタイミングｔ１と変わらず同じ方向に傾斜する。
タイミングｔ２からタイミングｔ３へと順次移行するとき、隣接する画素電極１６の電極間の近傍の液晶５及び、隣接する対向電極４５間の近傍の液晶５の傾斜方向は変わらない。
【０１０９】
タイミングｔ１からタイミングｔ２、タイミングｔ２からタイミングｔ３へと順次切り換わるとき、タイミングの切り換わりに合わせて、他より電圧差の高い電極の対は、隣接する電極の対に順次移動する。そして、液晶５が他より大きく傾斜する領域が順次移動する。
【０１１０】
図１５は電極における液晶の動作を説明する図である。図１５に示すように、第１の画素構成電極１６ａと第２の画素構成電極１６ｂとの間の近傍の液晶５ａは、第１の画素構成電極１６ａ側へ傾斜し、第２の画素構成電極１６ｂと第３の画素構成電極１６ｃとの間の近傍の液晶５ｂは、第２の画素構成電極１６ｂ傾斜する。同様に、第３の画素構成電極１６ｃと第４の画素構成電極１６ｄとの間の近傍の液晶５ｃは、第３の画素構成電極１６ｃ側へ傾斜し、第４の画素構成電極１６ｄと第１の画素構成電極１６ａとの間の近傍の液晶５ｄは、第４の画素構成電極１６ｄ側へ傾斜する。
【０１１１】
そして、第１の対向構成電極４５ａと第２の対向構成電極４５ｂとの間の近傍の液晶５ｅは、第２の対向構成電極４５ｂ側へ傾斜し、第２の対向構成電極４５ｂと第３の対向構成電極４５ｃとの間の近傍の液晶５ｆは、第３の対向構成電極４５ｃ側へ傾斜する。同様に、第３の対向構成電極４５ｃと第４の対向構成電極４５ｄとの間の近傍の液晶５ｇは、第４の対向構成電極４５ｄ側へ傾斜し、第４の対向構成電極４５ｄと第１の対向構成電極４５ａとの間の近傍の液晶５ｈは、第１の対向構成電極４５ａ側へ傾斜する。
【０１１２】
黒表示から白表示に変える為に、画素電極１６及び対向電極４５に印加する電圧を切り換えて、画素電極１６と対向電極４５との間の電圧差を高くする。このとき、第１の画素構成電極１６ａ〜第４の画素構成電極１６ｄの間の電圧波形の振幅と第１の対向構成電極４５ａ〜第４の対向構成電極４５ｄの間の電圧波形の振幅とは変更しない。画素電極１６に印加する電圧が所定の電圧以上になるとき、画素電極１６及び対向電極４５に印加する電圧波形の電圧振幅３５ｖ，６４ｖ（図１３参照）を無くす。画素電極１６と対向電極４５との間に印加する電圧を上げることで液晶５は隣接する液晶５を押圧し、画素電極１６上及び対向電極４５上の液晶５は全体が傾斜する。
【０１１３】
第１の画素構成電極１６ａ上の液晶５は、第２の画素構成電極１６ｂの逆側に傾斜し、第２の画素構成電極１６ｂ上の液晶５は、第３の画素構成電極１６ｃの逆側に傾斜する。同様に、第３の画素構成電極１６ｃ上の液晶５は、第４の画素構成電極１６ｄの逆側に傾斜し、第４の画素構成電極１６ｄ上の液晶５は、第１の画素構成電極１６ａの逆側に傾斜する。従って、画素電極１６上の液晶５は、略直交する４方向に傾斜する。
【０１１４】
第１の対向構成電極４５ａ上の液晶５は、第４の対向構成電極４５ｄの逆側に傾斜し、第２の対向構成電極４５ｂ上の液晶５は、第１の対向構成電極４５ａの逆側に傾斜する。そして、第３の対向構成電極４５ｃ上の液晶５は、第２の対向構成電極４５ｂの逆側に傾斜し、第４の対向構成電極４５ｄ上の液晶５は、第３の対向構成電極４５ｃの逆側に傾斜する。従って、対向電極４５上の液晶５は、略直交する４方向に傾斜する。
【０１１５】
画素電極１６と対向電極４５との間に印加する平均電圧を所定の電圧より下げるとき、制御回路８は画素電極１６に印加する電圧波形の振幅を大きくし、制御回路４３は対向電極４５に印加する電圧波形の振幅を大きくする。そして、液晶５を所定の方向へ配向する。
【０１１６】
上述したように、本実施形態によれば、上記の第１の実施形態の（１）〜（４）の効果に加え、以下の効果を有する。
（１）本実施形態によれば、第１の対向構成電極４５ａ〜第４の対向構成電極４５ｄの各電極に異なる電圧を印加し、それぞれの対向構成電極の間の近傍の液晶が傾斜された。対向電極４５は平坦な面上に形成されており、電圧印加時に隣接する液晶５に押されて傾斜する。従って、黒表示から白表示に切り替わる時において、突状体により配向する方法に比べて、液晶の動作性の向上した液晶の表示装置の駆動方法と、その方法を用いた液晶表示装置４０を実現することができる。
【０１１７】
（２）本実施形態によれば、画素電極１６の電極間の近傍の液晶５と、対向電極１５の電極間の近傍の液晶とが配向される。画素電極１６の電極間の近傍の液晶５と、対向電極１５の電極間の近傍の液晶とのどちらか一方の液晶が配向されるときに比べて、短い時間で黒表示から白表示に切り換えることができる。従って、黒表示から白表示に切り換えるときの切り換え時間の短い液晶表示装置の駆動方法と、その方法を用いた液晶表示装置４０を実現することができる。
【０１１８】
（３）本実施形態によれば、画素電極１６の各電極間の近傍の液晶５が傾斜する方向は、画素１４の中心を中心とした円周方向の一方となる。同様に、対向電極４５の各電極間の近傍の液晶５が傾斜する方向は、画素１４の中心を中心とした円周方向の一方となる。
液晶５は規則的に円周方向の一方向に向かって配向するとき、画素電極１６の近傍の液晶５と、対向電極１５の近傍の液晶とが同一方向に傾斜する為、安定した配向となる液晶表示装置の駆動方法と、その方法を用いた液晶表示装置４０を実現することができる。
【０１１９】
（４）本実施形態によれば、第１の画素構成電極１６ａと第２の画素構成電極１６ｂの間の領域の等電位線３６が第４の対向構成電極４５ｄと第１の対向構成電極４５ａとの間の領域に接続するように画素電極１６と対向電極４５とに電圧を印加した。液晶５は等電位線３６と平行に傾斜する性質があることから、第１の画素構成電極１６ａと第２の画素構成電極１６ｂの間の近傍の液晶５の向きと、第４の対向構成電極４５ｄと第１の対向構成電極４５ａとの間の近傍の液晶５の向きは同じ方向を向くようになる。他の電極間の液晶５も同様の方向に向くように制御する為、画素電極１６の近傍の液晶５と、対向電極１５の近傍の液晶とが同一方向に傾斜する。従って、安定した配向となる液晶表示装置の駆動方法と、その方法を用いた液晶表示装置４０を実現することができる。
【０１２０】
（５）本実施形態によれば、第１の画素構成電極１６ａ〜第４の画素構成電極１６ｄと第１の対向電極４５ａ〜第４の対向電極４５ｄとの対向する電極の対の間で電圧差の高い電極の対が順次切り換わっている。従って、画素１４内の画素電極と対向電極との対となる各電極上において、画素電極と対向電極間の電圧差を上げたときに、液晶５が傾斜する動作の速度は同じ程度になる。その結果、同一画素内の液晶５が傾斜する動作の速度のバラツキの少ない液晶表示装置の駆動方法と、その方法を用いた液晶表示装置４０を実現することができる。
【０１２１】
（６）本実施形態によれば、画素電極１６と対向電極４５との間に印加する電圧が所定の電圧以上のとき、第１の画素構成電極１６ａ〜第４の画素構成電極１６ｄの各電極には同じ電圧を印加した。同様に、第１の対向構成電極４５ａ〜第４の対向構成電極４５ｄの各電極には同じ電圧を印加した。
第１の画素構成電極１６ａ〜第４の画素構成電極１６ｄの各電極に印加する電圧、及び第１の対向構成電極４５ａ〜第４の対向構成電極４５ｄの各電極に印加する電圧を異なる電圧にし、タイミングをあわせて切り換えるときは、液晶５が微小振動する。一方、画素電極１６と対向電極４５との間に印加する電圧が所定の電圧以上のとき、第１の画素構成電極１６ａ〜第４の画素構成電極１６ｄの各電極に印加する電圧と第１の対向構成電極４５ａ〜第４の対向構成電極４５ｄの各電極に印加する電圧を同じ電圧にすることで、液晶５を微小振動させないようにした。従って、液晶５が微小振動し、光透過量が変動するのを防止する液晶表示装置の駆動方法と、その方法を用いた液晶表示装置４０を実現することができる。
【０１２２】
（７）本実施形態によれば、第１の画素構成電極１６ａ〜第４の画素構成電極１６ｄの各電極間の近傍で傾斜する液晶５は、４箇所の電極間でそれぞれ異なる方向に液晶５を傾斜する。同様に、第１の画素構成電極１６ａ〜第４の画素構成電極１６ｄの各電極間の近傍で傾斜する液晶５は、４箇所の電極間でそれぞれ異なる方向に液晶５を傾斜する。液晶５の傾斜方向と視角依存性には相関があり、４箇所の電極間の液晶５は４方向に傾斜する。従って、広視野角な液晶表示装置の駆動方法と、その方法を用いた液晶表示装置４０を実現することができる。
【０１２３】
（第３の実施形態）
次に、上記の第１及び第２の実施形態の液晶表示装置１，４０を備えた電子機器について説明する。
図１６は、パーソナルコンピュータに液晶表示装置を搭載した例を示す概略斜視図である。図１６に示すように、電子機器としてのパーソナルコンピュータ７０の本体は情報を表示する表示装置７１を備えている。この表示装置７１に、第１及び第２の実施形態により製造された液晶表示装置１，４０が配設されている。パーソナルコンピュータ７０に配置されている表示装置７１は、上記の実施形態により製造された、黒表示から白表示に切り換わるとき液晶の動作性のよい液晶表示装置１，４０を搭載しているので、表示部に黒表示から白表示に切り換わるとき液晶の動作性のよい液晶表示装置１，４０を備えた電子機器となる。
【０１２４】
尚、本発明は上述した実施形態に限定されるものではなく、種々の変更や改良などを加えることも可能である。変形例を以下に述べる。
（変形例１）前記第１の実施形態において、画素電極１６は４つの電極から構成されたが、５つ以上の電極から構成されてもよい。
【０１２５】
（変形例２）前記第２の実施形態において、画素電極１６及び対向電極４５は各々４つの電極から構成されたが、各々５つ以上の電極から構成してもよい。電極間の領域が増える為、液晶５が配向される領域が増える。従って、液晶５の動作性をさらに良くすることができる。
【０１２６】
（変形例３）前記第１及び第２の実施形態において、画素電極１６はゲート配線１８及びソース配線１９と平行な線で区切られた電極を配置したが、これに限らない。画素電極１６はゲート配線１８及びソース配線１９と平行でない線で区切られた電極を配置しても良い。また、曲線で区切られた電極としても良い。
【０１２７】
（変形例４）前記第１及び第２の実施形態において、画素電極１６は田の字形状に分割したが、対角線で４分割しても良い。同様の効果が得られる。
【０１２８】
（変形例５）前記第２の実施形態において、対向電極１５はゲート配線１８及びソース配線１９と平行な線で区切られた電極を配置したが、これに限らない。対向電極１５はゲート配線１８及びソース配線１９と平行でない線で区切られた電極を配置しても良い。また、曲線で区切られた電極としても良い。
【０１２９】
（変形例６）前記第３の実施形態で、電気光学装置としての液晶表示装置１，４０をパーソナルコンピュータ７０の表示部に用いたが、これに限定されない。例えば、電子ブック、携帯電話、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネル等の電子機器の画像表示手段として好適に用いることができる。いずれの場合でも、表示部に黒表示から白表示へ切り換わるとき、液晶５の動作性が良い液晶表示装置１，４０を備えた電子機器を提供することができる。
【図面の簡単な説明】
【０１３０】
【図１】第１の実施形態に係る液晶表示装置の模式平面図である。
【図２】液晶表示装置の模式断面図である。
【図３】液晶表示装置の要部模式斜視図である。
【図４】液晶表示装置の要部模式断面図である。
【図５】液晶表示装置の電気ブロック図である。
【図６】画素電極へ印加する電圧の動作を示すタイミングチャートである。
【図７】電極間の等電位線を示す模式図である。
【図８】電極における液晶の動作を説明する図である。
【図９】第２の実施形態に係る液晶表示装置の模式断面図である。
【図１０】液晶表示装置の要部模式斜視図である。
【図１１】液晶表示装置の要部模式断面図である。
【図１２】液晶表示装置の電気ブロック図である。
【図１３】画素電極と対向電極とへ印加する電圧の動作を示すタイミングチャートである。
【図１４】電極間の等電位線を示す模式図である。
【図１５】電極における液晶の動作を説明する図である。
【図１６】第３の実施形態に係るパーソナルコンピュータを示す概略斜視図である。
【符号の説明】
【０１３１】
１，４０…液晶表示装置、２…第１基板としてのＴＦＴアレイ基板、３…第２基板としての対向基板、５…液晶、８，４３…制御回路、１４…画素、１５，４５…対向電極、１６…画素電極、１６ａ…第１の画素構成電極、１６ｂ…第２の画素構成電極、１６ｃ…第３の画素構成電極、１６ｄ…第４の画素構成電極、４５ａ…第１の対向構成電極、４５ｂ…第２の対向構成電極、４５ｃ…第３の対向構成電極、４５ｄ…第４の対向構成電極、７０…電子機器としてのパーソナルコンピュータ。
【図１】
2007212914.tif 000003
【図２】
2007212914.tif 000004
【図３】
2007212914.tif 000005
【図４】
2007212914.tif 000006
【図５】
2007212914.tif 000007
【図６】
2007212914.tif 000008
【図７】
2007212914.tif 000009
【図８】
2007212914.tif 000010
【図９】
2007212914.tif 000011
【図１０】
2007212914.tif 000012
【図１１】
2007212914.tif 000013
【図１２】
2007212914.tif 000014
【図１３】
2007212914.tif 000015
【図１４】
2007212914.tif 000016
【図１５】
2007212914.tif 000017
【図１６】
2007212914.tif 000018